(57)【要約】  【課題】静止画データの汎用性を高めることが可能な映像記録再生装置を提供する。  【解決手段】ディスク読書部２で静止画記録用光ディスク２０からＪＰＥＧ形式の静止画データを読み出して、ハードディスク３に蓄積する。蓄積した静止画データをＭＰＥＧ復号部５で復号して、一定の時間間隔でスライドショウとして順次再生し、再生した静止画の画像サイズを画像処理部６によってＤＶＤビデオフォーマットに合致するサイズに順次変更する。サイズ変更後の静止画をＭＰＥＧ符号化部７によって符号化・多重化して、ＤＶＤビデオフォーマットの一連の動画データに変換し、マスタリングしながら動画データと当該動画データの管理データとをディスク読書部２によってアルバム作成用光ディスク３０に書き込む。書き込み後さらに、ハードディスク３に蓄積した静止画データを読み出して、ディスク読書部２によってアルバム作成用光ディスク３０に書き込む。【選択図】  図１
2005328176.tif 000002
【特許請求の範囲】
【請求項１】
ＤＶＤに記録された画像データを読み出して再生する再生機能と、画像データをＤＶＤまたは内部に備えたハードディスクに記録する記録機能とを備えた映像記録再生装置において、
静止画記録用光ディスクから静止画データを読み出す読出手段と、
前記読出手段によって読み出した前記静止画データが前記ハードディスクに一時的に蓄積された後に、当該静止画データを一定の時間間隔で順次再生する再生手段と、
順次再生される静止画の画像サイズをＤＶＤビデオフォーマットに合致するサイズに順次変更する画像サイズ変更手段と、
順次サイズ変更された静止画をＤＶＤビデオフォーマットのＩピクチャとＰピクチャとＢピクチャとから構成される一連の動画データに変換し、変換した動画データを区分するチャプターを各静止画毎に設定して、当該チャプターに関する情報を含んだ前記動画データの管理データを作成するデータ変換作成手段と、
前記動画データと前記管理データとをＤＶＤビデオフォーマットに対応した形式でＤＶＤからなるアルバム作成用光ディスクに書き込み、続けて前記ハードディスクに蓄積された前記静止画記録用光ディスクの静止画データを前記アルバム作成用光ディスクに書き込む書込手段と、を備えたことを特徴とする映像記録再生装置。
【請求項２】
ＤＶＤに記録された画像データを読み出して再生する再生機能と、画像データをＤＶＤに記録する記録機能とを備えた映像記録再生装置において、
静止画記録用メモリーカードから静止画データを読み出す読出手段と、
前記読出手段によって読み出した前記静止画データを一定の時間間隔で順次再生する再生手段と、
順次再生される静止画の画像サイズをＤＶＤビデオフォーマットに合致するサイズに順次変更する画像サイズ変更手段と、
順次サイズ変更された静止画をＤＶＤビデオフォーマットのＩピクチャとＰピクチャとＢピクチャとから構成される一連の動画データに変換し、変換した動画データを区分するチャプターを各静止画毎に設定して、当該チャプターに関する情報を含んだ前記動画データの管理データを作成するデータ変換作成手段と、
前記動画データと前記管理データとをＤＶＤビデオフォーマットに対応した形式でＤＶＤからなるアルバム作成用光ディスクに書き込み、続けて前記メモリーカードに記録された静止画データをアルバム作成用光ディスクに書き込む書込手段と、を備えたことを特徴とする映像記録再生装置。
【請求項３】
記録媒体に記録された画像データを読み出して再生する再生機能と、画像データを記録媒体に記録する記録機能とを備えた映像記録再生装置において、
静止画データが記録された記録媒体から静止画データを読み出す読出手段と、
前記読出手段によって読み出した静止画データを一定の時間間隔で順次再生する再生手段と、
順次再生される静止画の画像サイズをＤＶＤビデオフォーマットに合致するサイズに順次変更する画像サイズ変更手段と、
順次サイズ変更された静止画をＤＶＤビデオフォーマットの一連の動画データに変換し、当該動画データの管理データを作成するデータ変換作成手段と、
前記動画データと前記管理データとをＤＶＤビデオフォーマットに対応した形式で光ディスクに書き込む書込手段と、を備えたことを特徴とする映像記録再生装置。
【請求項４】
請求項３に記載の映像記録再生装置において、
前記書込手段は、前記動画データと前記管理データとを前記光ディスクに書き込んだ後に、続けて前記読出手段によって前記記録媒体から読み出した前記静止画データを前記光ディスクに書き込むことを特徴とする映像記録再生装置。
【請求項５】
請求項４に記載の映像記録再生装置において、
前記動画データと前記管理データと前記静止画データとが既に書き込まれた書き換え可能な光ディスクに対して、前記書込手段によって新たな前記動画データと前記管理データとを書き込む前に、当該光ディスクから前記静止画データを読み出す光ディスク読出手段と、
前記光ディスク読出手段によって前記光ディスクから読み出した静止画データを一時的に蓄積する蓄積手段と、を備え、
前記書込手段は、書き換え可能な前記光ディスクに対して、新たな前記動画データを既に書き込まれている前記動画データに続けて書き込むとともに、新たな前記管理データを書き込み、さらに続けて前記蓄積手段に蓄積された前記光ディスクの静止画データと、前記読出手段によって前記記録媒体から読み出した前記静止画データとを書き込むことを特徴とする映像記録再生装置。
【請求項６】
請求項３ないし請求項５のいずれかに記載の映像記録再生装置において、
前記データ変換作成手段は、変換した前記動画データを区分するチャプターを各静止画毎に設定し、当該チャプターに関する情報を前記管理データに含めることを特徴とする映像記録再生装置。
【発明の詳細な説明】
【技術分野】
【０００１】
本発明は、記録媒体に記録された静止画または動画の画像データを読み出して再生する再生機能と、静止画または動画の画像データを記録媒体に記録する記録機能とを備えた映像記録再生装置に関するものである。
【背景技術】
【０００２】
例えば光ディスクのような記録媒体に記録された画像データを読み出して再生する再生機能と、画像データを記録媒体に記録する記録機能とを備えた映像記録再生装置として、ＤＶＤレコーダがある。ＤＶＤレコーダには、動画データを処理するだけでなく、静止画データも処理できるものがある。
【０００３】
一方、静止画をデジタル記録する装置として、最近デジタルカメラが頻繁に使用されている。デジタルカメラは、ユーザが手軽にデジタルの写真データを撮影できるが、撮影した写真データは通常の写真のように印画紙に現像を行わないため、アルバム作成を作成して他者に配布するといったことには適していなかった。そこで、デジタルカメラで撮影した写真データをより楽しむために、その写真データ、即ち静止画データを処理するＤＶＤレコーダが従来から提案されている。
【０００４】
例えば、ハードディスク付きＤＶＤレコーダには、デジタルカメラで撮影したＪＰＥＧ形式の静止画データが記録されたＰｈｏｔｏ ＣＤ（一般に記録は写真店で行われる）や、ＣＤ−Ｒ（一般に記録はユーザがパーソナルコンピュータ（ＰＣ）で行う）等が、ディスクドライブに装着されると、Ｐｈｏｔｏ ＣＤ等から静止画データを読み出し、再生して接続されたテレビの画面に表示したり、ハードディスクに静止画データとして蓄積したりするものがある。また、カードリーダ付きＤＶＤレコーダには、デジタルカメラで撮影したＪＰＥＧ形式の静止画データが記録されたＰＣカードのようなメモリーカードがカードリーダに装着されると、メモリーカードから静止画データを読み出し、再生して接続されたテレビの画面に表示したり、ＤＶＤ−ＲＡＭにＪＰＥＧ形式のまま記録したりするものがある。さらに、下記の特許文献１に記載されているＤＶＤレコーダでは、デジタルカメラと直接接続されていて、デジタルカメラで撮影したＪＰＥＧ形式等の静止画データをデジタルカメラから直接取り込んでＭＰＥＧ２のＩピクチャーデータに変換し、変換したデータを複数まとめてＶＯＢ（Video Object）を構成して、ＶＯＢ単位でＤＶＤ―ＲＡＭ等に記録する。
【特許文献１】特開２０００−３２３７８号公報（段落０２６９〜０２７２、図１９、図２１）
【発明の開示】
【発明が解決しようとする課題】
【０００５】
しかしながら、従来のハードディスク付きＤＶＤレコーダでは、Ｐｈｏｔｏ ＣＤ等に記録されたデジタルカメラの静止画データをテレビに表示させたりハードディスクに蓄積したりするだけで、アルバムを作成して他者に配布することができず、静止画データの汎用性が低いという問題がある。これに対して、従来のカードリーダ付きＤＶＤレコーダでは、メモリーカードに記録されたデジタルカメラの静止画データをＤＶＤ−ＲＡＭに記録するため、静止画データをアルバム化して他者に配布することができるが、ＪＰＥＧ形式のままＤＶＤ−ＲＡＭに記録するので、ＪＰＥＧデータの再生機能を有していないＤＶＤプレーヤ等では再生することができず、汎用性が低いという問題がある。また、特許文献１のＤＶＤレコーダでは、デジタルカメラの静止画データをＭＰＥＧ２のＩピクチャーデータにのみ変換してＤＶＤ−ＲＡＭ等に記録するので、記録されたデータは静止画データであり、このＤＶＤ−ＲＡＭ等に記録されたＩピクチャーデータのみからなる静止画データを再生するには、特殊なプログラムが必要になって、当該プログラムが組み込まれていないＤＶＤプレーヤ等では再生することができず、汎用性が低いという問題がある。
【０００６】
本発明は、上記問題点を解決するものであって、その課題とするところは、静止画データの汎用性を高めることが可能な映像記録再生装置を提供することにある。
【課題を解決するための手段】
【０００７】
本発明では、記録媒体に記録された画像データを読み出して再生する再生機能と、画像データを記録媒体に記録する記録機能とを備えた映像記録再生装置において、静止画データが記録された記録媒体から静止画データを読み出す読出手段と、読出手段によって読み出した静止画データを一定の時間間隔で順次再生する再生手段と、順次再生される静止画の画像サイズをＤＶＤビデオフォーマットに合致するサイズに順次変更する画像サイズ変更手段と、順次サイズ変更された静止画をＤＶＤビデオフォーマットの一連の動画データに変換し、当該動画データの管理データを作成するデータ変換作成手段と、動画データと管理データとをＤＶＤビデオフォーマットに対応した形式で光ディスクに書き込む書込手段とを設ける。
【０００８】
上記のように、記録媒体から読み出した静止画データを一連の動画データに変換して、変換した動画データと当該動画データの管理データとをＤＶＤビデオフォーマットで光ディスクに書き込むことで、光ディスクを媒体にして静止画データを動画データとしてアルバム化して他者に配布することができるとともに、光ディスクに書き込んだ動画データをＤＶＤビデオフォーマットに対応した全ての装置で再生することができる。例えば、ＤＶＤビデオフォーマットに対応した一般的な装置で光ディスクの動画データの再生を行うと、静止画を一定の時間間隔でスライドショウのように再生することができ、早送り再生またはスロー再生を行うと、静止画のスライドショウの速度を調節することができ、再生を停止すると、静止画のスライドショウを停止させることができる。よって、デジタルカメラ等で記録した静止画データの汎用性を高めることが可能となる。
【０００９】
また、本発明においては、書込手段は、動画データと管理データとを光ディスクに書き込んだ後に、続けて読出手段で記録媒体から読み出した静止画データを光ディスクに書き込む。このようにすると、例えばパーソナルコンピュータ（ＰＣ）のような静止画データを処理可能な装置において、画像サイズを変更していない高画質の静止画データを光ディスクから読み出して、モニタに表示したり加工したりして利用することができるので、静止画データの汎用性を一層高めることが可能となる。
【００１０】
また、本発明においては、上記構成に加えて、動画データと管理データと静止画データとが既に書き込まれた書き換え可能な光ディスクに対して、書込手段によって新たな動画データと管理データとを書き込む前に、当該光ディスクから静止画データを読み出す光ディスク読出手段と、光ディスク読出手段によって光ディスクから読み出した静止画データを一時的に蓄積する蓄積手段とを設ける。この場合、書込手段は、書き換え可能な光ディスクに対して、新たな動画データを既に書き込まれている動画データに続けて書き込むとともに、新たな管理データを書き込み、さらに続けて蓄積手段に蓄積された光ディスクの静止画データと、読出手段によって記録媒体から読み出した静止画データとを書き込む。このようにすると、書き換え可能な光ディスクに対して既に書き込まれた動画データと管理データと静止画データとを消失することなく、新たな動画データと管理データと静止画データとを追記することができ、また、光ディスクのデータのＤＶＤビデオフォーマットを崩れることなく保持することができる。
【００１１】
また、本発明においては、データ変換作成手段は、変換した動画データを区分するチャプターを各静止画毎に設定し、当該チャプターに関する情報を管理データに含める。このようにすると、ＤＶＤビデオフォーマットに対応した一般的な装置で光ディスクの動画データの再生を行う場合に、スキップ操作等により動画データの再生位置を静止画毎に移動させることができる。
【００１２】
また、本発明の実施形態においては、ＤＶＤに記録された画像データを読み出して再生する再生機能と、画像データをＤＶＤまたは内部に備えたハードディスクに記録する記録機能とを備えた映像記録再生装置において、静止画記録用光ディスクから静止画データを読み出す読出手段と、読出手段によって読み出した静止画データがハードディスクに一時的に蓄積された後に、当該静止画データを一定の時間間隔で順次再生する再生手段と、順次再生される静止画の画像サイズをＤＶＤビデオフォーマットに合致するサイズに順次変更する画像サイズ変更手段と、順次サイズ変更された静止画をＤＶＤビデオフォーマットのＩピクチャとＰピクチャとＢピクチャとから構成される一連の動画データに変換し、変換した動画データを区分するチャプターを各静止画毎に設定して、当該チャプターに関する情報を含んだ動画データの管理データを作成するデータ変換作成手段と、動画データと管理データとをＤＶＤビデオフォーマットに対応した形式でＤＶＤからなるアルバム作成用光ディスクに書き込み、続けてハードディスクに蓄積された静止画記録用光ディスクの静止画データをアルバム作成用光ディスクに書き込む書込手段とを設けている。このようにハードディスクを備えた装置によると、静止画記録用光ディスクから読み出した静止画データとアルバム作成用光ディスクから読み出した静止画データとをそれぞれハードディスク蓄積して、前述の読出手段と前述の光ディスク読出手段とを１つの読出し手段で構成することができ、装置の構成を簡単にすることが可能となる。
【００１３】
さらに、本発明の他の実施形態においては、ＤＶＤに記録された画像データを読み出して再生する再生機能と、画像データをＤＶＤに記録する記録機能とを備えた映像記録再生装置において、静止画記録用メモリーカードから静止画データを読み出す読出手段と、読出手段によって読み出した静止画データを一定の時間間隔で順次再生する再生手段と、順次再生される静止画の画像サイズをＤＶＤビデオフォーマットに合致するサイズに順次変更する画像サイズ変更手段と、順次サイズ変更された静止画をＤＶＤビデオフォーマットのＩピクチャとＰピクチャとＢピクチャとから構成される一連の動画データに変換し、変換した動画データを区分するチャプターを各静止画毎に設定して、当該チャプターに関する情報を含んだ動画データの管理データを作成するデータ変換作成手段と、動画データと管理データとをＤＶＤビデオフォーマットに対応した形式でＤＶＤからなるアルバム作成用光ディスクに書き込み、続けてメモリーカードに記録された静止画データをアルバム作成用光ディスクに書き込む書込手段とを設けている。このようにメモリーカードから静止画データを読み出す読出手段を備えた装置によると、デジタルカメラで静止画データを記録したメモリカードから静止画データを読み出すことができるので、静止画データをＰｈｏｔｏ ＣＤやＣＤ−Ｒ等のような他の記録媒体に記録する手間が省ける。
【発明の効果】
【００１４】
本発明によれば、記録媒体から読み出した静止画データを動画データに変換して、当該動画データの管理データとともにＤＶＤビデオフォーマットで光ディスクに書き込むことで、光ディスクを媒体にして静止画をアルバム化して他者に配布することができるとともに、ＤＶＤビデオフォーマットに対応した全ての装置で光ディスクの動画データを再生することができるので、静止画データの汎用性を高めることが可能となる。
【発明を実施するための最良の形態】
【００１５】
図１は、本発明に係る映像記録再生装置の一実施形態を構成するハードディスク付きＤＶＤレコーダの電気的構成を示すブロック図である。図１において、破線で囲んだ部分がハードディスク付きＤＶＤ（Digital Versatile Disk）レコーダ（以下、ＨＤＤ付きＤＶＤレコーダという）１００の本体部である。２０は静止画記録用光ディスクであって、Ｐｈｏｔｏ ＣＤ、ＣＤ−Ｒ／ＲＷ、ＣＤ＋Ｒ／ＲＷ、ＤＶＤ−Ｒ／ＲＷ、またはＤＶＤ＋Ｒ／ＲＷ等から構成されている。このディスク２０には、デジタルカメラで撮影したＪＰＥＧ形式の写真の静止画データが記録されている。（一般に、Ｐｈｏｔｏ ＣＤへの静止画データの記録は写真店で行われ、それ以外のディスクへの静止画データの記録はユーザがパーソナルコンピュータ（ＰＣ）を用いて行う。）３０はアルバム作成用光ディスクであって、ＤＶＤ−Ｒ／ＲＷまたはＤＶＤ＋Ｒ／ＲＷ等から構成されている。このディスク３０には、後述するようにディスク２０のＪＰＥＧ形式の静止画データや当該静止画データを変換したＭＰＥＧ形式の動画データ等が記録される。４０はＨＤＤ付きＤＶＤレコーダ１００に接続されたテレビである。
【００１６】
１はＨＤＤ付きＤＶＤレコーダ１００の各部を制御する制御部であって、ＣＰＵ、ＲＡＭやＲＯＭのようなメモリ等から構成されている。２はディスク読書部であって、ピックアップやピックアップ駆動回路やディスク駆動回路等から構成されている。このディスク読書部２は、静止画記録用光ディスク２０が装着されると、当該ディスク２０から静止画データを読み出し、アルバム作成用光ディスク３０が装着されると、当該ディスク３０に動画データや静止画データ等を書き込んだり、当該ディスク３０から静止画データ等を読み出したりする。３はハードディスクであって、ディスク読書部２で読み出した静止画データを一時的に蓄積する。４はＡＴＡＰＩインターフェースであって、制御部１とディスク読書部２およびハードディスク３を電気的に接続する。５はＭＰＥＧ復号部であって、ＪＰＥＧ形式やＭＰＥＧ形式で圧縮された画像データや圧縮された音声データを復号して再生する。このＭＰＥＧ復号部５は、ディスク読書部２で読み出したディスク２０の静止画データを一定の時間間隔（例えば５秒）で順次再生する。即ち、ディスク２０に記録されていた複数の静止画データは、ＭＰＥＧ復号部５によってスライドショウのように再生される。６は画像処理部であって、制御部１からＭＰＥＧ復号部５を介して入力される画像データをテレビ４０にＯＳＤ（On Screen Display）表示できるように処理する。また、この画像処理部６は、ＭＰＥＧ復号部５で順次再生された静止画の画像サイズをＤＶＤビデオフォーマットに合致するサイズに順次変更する。詳しくは、ＭＰＥＧ復号部５で再生された静止画の画像サイズはメガピクセルオーダーといった大容量であり、この大容量の画像サイズを、ＤＶＤビデオフォーマットの最大画像サイズである解像度７２０×４８０に変更する。
【００１７】
８、９はＤ／Ａ変換部であって、Ｄ／Ａ変換部８は、画像処理部６で処理されたデジタルの映像データをアナログの信号に変換してテレビ４０に出力し、Ｄ／Ａ変換部９は、ＭＰＥＧ復号部５で再生されたデジタルの音声データをアナログの信号に変換してテレビ４０に出力する。テレビ４０は、Ｄ／Ａ変換部８から入力される映像信号に基づいてＣＲＴに映像を映し出したり、Ｄ／Ａ変換部９から入力される音声信号に基づいてスピーカから音声を出力する。１０はチューナであって、外部から入力されるテレビ番組等の放送電波から映像と音声のアナログの信号を抽出する。１１、１２はＡ／Ｄ変換部であって、Ａ／Ｄ変換部１１は、チューナ１０で抽出された映像のアナログ信号をデジタルの映像データに変換してＭＰＥＧ符号化部７に出力し、Ａ／Ｄ変換部１２は、チューナ１０で抽出された音声のアナログ信号をデジタルの音声データに変換してＭＰＥＧ符号化部７に出力する。
【００１８】
ＭＰＥＧ符号化部７は、Ａ／Ｄ変換部１１、１２から入力される映像と音声等のデータをＭＰＥＧ形式で符号化して、個々のデータを多重化することで、ＤＶＤビデオフォーマットの動画データに変換し、マスタリングしてその動画データの管理データを作成する。また、ＭＰＥＧ符号化部７は、ＭＰＥＧ復号部５によって一定の時間間隔で順次再生されて画像処理部６によって順次サイズ変更された静止画を、ＭＰＥＧ形式で符号化して多重化することで、ＤＶＤビデオフォーマットの一連の動画データに変換し、マスタリングしてその動画データの管理データを作成する。即ち、ＭＰＥＧ復号部５でスライドショウのように再生された複数の静止画は、一定の時間間隔（例えば５秒）で切り替わる動画データに変換される。ＭＰＥＧ符号化部７によって変換された動画データと当該動画データの管理データとは、後述するようにディスク読書部２によってアルバム作成用光ディスク３０に書き込まれる。また、動画データと管理データの書き込み後、ハードディスク３に一時的に蓄積されていた静止画記録用ディスク２０の静止画データ、つまり動画データの変換基の静止画データが、後述するようにディスク読書部２によってアルバム作成用光ディスク３０に書き込まれる。
【００１９】
１３ａ〜１３ｃは一時バッファしてのＲＡＭであって、制御部１とＭＰＥＧ復号部５とＭＰＥＧ符号化部７にそれぞれ接続されている。１４はＨＤＤ付きＤＶＤレコーダ１００の動作状態等を表示する表示部、１５は再生や録画や停止等のキーやボタンからなる操作部、１６はリモコン１７からの信号を受信するリモコン受信部である。リモコン１７には、再生や録画や停止等のキーやボタンが備わっている。
【００２０】
以上の構成において、ディスク読書部２は、本発明における読出手段と光ディスク読出手段と書込手段の一実施形態をそれぞれ構成する。ハードディスク３は、本発明における蓄積手段の一実施形態を構成する。ＭＰＥＧ復号部５は、本発明における再生手段の一実施形態を構成する。画像処理部６は、本発明における画像サイズ変更手段の一実施形態を構成する。ＭＰＥＧ符号化部７は、本発明におけるデータ変換作成手段の一実施形態を構成する。
【００２１】
図２は、アルバム作成用光ディスク３０のデータの構成を示す図である。図２（ａ）は前述のディスク読書部２によって書き込まれたデータを示していて、各データはリードインからリードアウトに向う順に書き込まれている。先に書き込まれているＤＶＤビデオフォーマットは、ビデオマネージャＶＭＧとビデオタイトルセットＶＴＳとから構成されている。ビデオマネージャＶＭＧは、前述のＭＰＥＧ符号化部７でマスタリングして作成したＤＶＤビデオフォーマットの管理データであって、ビデオタイトルセットＶＴＳの内容を表している。ビデオタイトルセットＶＴＳはタイトルの集合であって、ここに前述のＭＰＥＧ符号化部７によって変換したＭＰＥＧ形式の動画データＶＴＳＴＴ＿ＶＯＢＳが含まれている。後に書き込まれている静止画データは、静止画記録用光ディスク２０からディスク読書部２によって読み出したＪＰＥＧ形式の写真の静止画データそのものである。この静止画データは、前述の画像処理部６によって画像サイズが変更されていないので高画質である。
【００２２】
ＭＰＥＧ形式の動画データＶＴＳＴＴ＿ＶＯＢＳは、図２（ｂ）に示すように複数の写真１〜ｎ（静止画）が連なって構成されていて、各写真１〜ｎ毎に動画データＶＴＳＴＴ＿ＶＯＢＳを区分する単位であるチャプター１〜ｎが設定されている。チャプター１〜ｎ同士の区切りは、各写真１〜ｎの先頭にある。各写真１〜ｎは、図２（ｃ）に示すように１つのＣｅｌｌをそれぞれ構成していて、各Ｃｅｌｌは、図２（ｄ）に示すように１０個のＧＯＰ（Group of Pictures）から構成されている。そして、各ＧＯＰは、図２（ｅ）に示すようにＭＰＥＧ２形式の圧縮画像データであるＩ（Intra）ピクチャ、Ｐ（Predictive）ピクチャ、およびＢ（Bidirectionally）ピクチャの全１５フレームから構成されている。Ｉピクチャは、各ＧＯＰの先頭に１つだけ設けられていて、単体で圧縮が完結され、Ｉピクチャだけを読み出すことで画像を正常に再生することができる。Ｐピクチャは、各ＧＯＰに複数設けられていて、直前にあるピクチャとの差分をとって圧縮され、このＰピクチャとこれの直前のピクチャを読み出すことで画像を正常に再生することができる。Ｂピクチャは、各ＧＯＰに複数設けられていて、前後にあるピクチャとの差分をとって圧縮され、このＢピクチャとこれの前後のピクチャを読み出すことで画像を正常に再生することができる。なお、各写真１〜ｎは静止画であるため、実質はＩピクチャが各写真１〜ｎの画像を構成し、ＰピクチャやＢピクチャは殆どデータがない状態である。上記のように全１５フレームから構成される１ＧＯＰあたりの再生時間は、０．５秒であるため、１０個のＧＯＰから構成される１Ｃｅｌｌ、即ち１写真あたりの再生時間は５秒である。つまり、アルバム作成用光ディスク３０の動画データを再生すると、５秒毎に写真が切り替わってスライドショウのように再生される。
【００２３】
図３は、上述したＨＤＤ付きＤＶＤレコーダ１００の動作手順を示すフローチャートである。各処理は制御部１（図１）が実行する。なお、本図を説明するにあたり、アルバム作成用ディスク３０のデータの変化を示す図４を適宜参照する。図３において、光ディスクがディスク読書部２に装着されると(ステップＳ１：ＹＥＳ)、制御部１は、ディスク読書部２によって光ディスクを読み込む(ステップＳ２)。そして、光ディスクにＪＰＥＧ形式の静止画データが記録されていれば(ステップＳ３：ＹＥＳ)、制御部１は、静止画記録用光ディスク２０が装着されたと判断し、ディスク読書部２によって光ディスク２０から静止画データを読み出してハードディスク３に蓄積し(ステップＳ４)、その後、光ディスク２０をディスク読書部２から排出する(ステップＳ５)。なお、ステップＳ３で、装着された光ディスクにＪＰＥＧ形式の静止画データが記録されていなければ(ステップＳ３：ＮＯ)、制御部１は、動画データ等を記録したＤＶＤ等の光ディスクであると判断し、その光ディスクの再生というような通常の処理を行う(ステップＳ２０)。
【００２４】
ステップＳ５で光ディスク２０を排出した後、新たな光ディスクがディスク読書部２に装着されると(ステップＳ６：ＹＥＳ)、制御部１は、ディスク読書部２によってその光ディスクを読み込む(ステップＳ７)。そして、光ディスクにＪＰＥＧ形式の静止画データが記録されていなければ(ステップＳ８：ＮＯ)、制御部１は、ディスク読書部２によって光ディスクから読み取った情報から光ディスクの種別を確認する。ここで、装着された光ディスクがアルバム作成用光ディスク３０でなければ、即ちＤＶＤ−Ｒ／ＲＷ、ＤＶＤ＋Ｒ／ＲＷのいずれでもなければ(ステップＳ９：ＮＯ)、制御部１は、ステップＳ５へ移行して、光ディスクをディスク読書部２から排出し、別の新たな光ディスクがディスク読書部２に装着されるのを待つ(ステップＳ６)。
【００２５】
上記に対して、ステップＳ９で、装着された光ディスクがアルバム作成用光ディスク３０、即ちＤＶＤ−Ｒ／ＲＷ、ＤＶＤ＋Ｒ／ＲＷのいずれかであれば(ステップＳ９：ＹＥＳ)、制御部１は、ハードディスク３に蓄積した静止画データを読み出し(ステップＳ１２)、読み出した静止画データをＭＰＥＧ復号部５によって復号して、一定の時間間隔でスライドショウとして順次再生し(ステップＳ１３)、再生する静止画の画像サイズを画像処理部６によってＤＶＤビデオフォーマットに合致するサイズに順次変更する(ステップＳ１４)。そして、制御部１は、サイズ変更後の静止画をＭＰＥＧ符号化部７によって符号化・多重化して、ＤＶＤビデオフォーマットの一連の動画データに変換し(ステップＳ１５)、さらにＭＰＥＧ符号化部７によって各静止画毎にチャプターを設定して、ＤＶＤビデオフォーマットでマスタリングしながら、即ちチャプターに関する情報を含んだ管理データを作成しながら、ディスク読書部２によって動画データと管理データとをアルバム作成用光ディスク３０に書き込む(ステップＳ１６)。続けて、制御部１は、ハードディスク３に蓄積した静止画データを読み出して、ディスク読書部２によって光ディスク３０に書き込む(ステップＳ１７)。この後、制御部１は、光ディスク３０のファイナライズを行い(ステップＳ１８)、光ディスク３０をディスク読書部２から排出して(ステップＳ１９)、処理を終了する。なお、排出された光ディスク３０には、図２（ａ）に示したように管理データ、動画データ、および静止画データが書き込まれている。
【００２６】
一方、ステップＳ８で、新たに装着された光ディスクにＪＰＥＧ形式の静止画データが記録されていれば(ステップＳ８：ＹＥＳ)、制御部１は、ディスク読書部２によって光ディスクから読み取った情報から光ディスクの種別を確認する。ここで、装着された光ディスクがデータの書き換え可能なアルバム作成用光ディスク３０でなければ、即ちＤＶＤ−ＲＷかＤＶＤ＋ＲＷのいずれでもなければ(ステップＳ１０：ＮＯ)、制御部１は、光ディスクは静止画記録用光ディスク２０であると判断し、ステップＳ４へ移行してディスク読書部２によって光ディスク２０から静止画データを読み出してハードディスク３に蓄積し、その後、ステップＳ５以降の処理を前述した手順で実行する。上記に対して、ステップＳ１０で、装着された光ディスクがデータの書き換え可能なアルバム作成用光ディスク３０であれば、即ちＤＶＤ−ＲＷかＤＶＤ＋ＲＷのいずれかであれば(ステップＳ１０：ＹＥＳ)、制御部１は、光ディスクが、図４（ａ）に示すように動画データと管理データと静止画データとが既に書き込まれた書き換え可能なアルバム作成用光ディスク３０であると判断し、当該光ディスク３０に動画データ等を追記するために、ディスク読書部２によって光ディスク３０から既に書き込まれた静止画データを読み出してハードディスク３に蓄積する(図３のステップＳ１１)。
【００２７】
その後、制御部１は、直前にハードディスク３に蓄積した静止画データ（ステップＳ１１で書き換え可能なアルバム作成用光ディスク３０から読み出した静止画データ）以外の静止画データをハードディスク３から読み出し(ステップＳ１２)、前述したようにＭＰＥＧ復号部５によって一定の時間間隔で順次再生し(ステップＳ１３)、再生する静止画の画像サイズを画像処理部６によってＤＶＤビデオフォーマットに合致するサイズに順次変更する(ステップＳ１４)。そして、制御部１は、前述したように静止画をＭＰＥＧ符号化部７によって符号化・多重化して、ＤＶＤビデオフォーマットの一連の動画データに変換し(ステップＳ１５)、さらにＭＰＥＧ符号化部７によって各静止画毎にチャプターを設定して、ＤＶＤビデオフォーマットでマスタリングしながら、ディスク読書部２によって動画データと当該動画データの管理データとを書き換え可能な光ディスク３０に書き込む(ステップＳ１６)。このとき、書き換え可能な光ディスク３０のファイナライズを解除し、図４（ｂ）に示すように新たな動画データを既に書き込まれた動画データに続けて書き込むとともに、新たな管理データを既に書き込まれた管理データに追加して、管理データを更新（アップデイト）する。続けて、制御部１は、ハードディスク３に蓄積した書き換え可能な光ディスク３０の静止画データ（既に書き込まれた静止画データ）と、その書き換え可能な光ディスク３０の前に装着された光ディスク２０の静止画データ（新たな静止画データ）とを読み出して、図４（ｂ）に示すようにディスク読書部２によって書き換え可能な光ディスク３０に順番に書き込む(図３ステップＳ１７)。この後、制御部１は、書き換え可能な光ディスク３０のファイナライズを行い(ステップＳ１８)、書き換え可能な光ディスク３０をディスク読書部２から排出して(ステップＳ１９)、処理を終了する。
【００２８】
上述したように、静止画記録用光ディスク２０から読み出したＪＰＥＧ形式の写真の静止画データを、ＭＰＥＧ形式の一連の動画データに変換して、変換した動画データと当該動画データの管理データとをＤＶＤビデオフォーマットでアルバム作成用光ディスク３０に書き込むことで、アルバム作成用光ディスク３０を媒体にして写真の静止画データを動画データとしてアルバム化して他者に配布することができるとともに、アルバム作成用光ディスク３０に書き込んだ動画データをＤＶＤビデオフォーマットに対応した全てのＤＶＤプレーヤやＤＶＤレコーダ等の装置で再生することができる。例えばＤＶＤビデオフォーマットに対応した一般的なＤＶＤプレーヤでアルバム作成用光ディスク３０の動画データの再生を行うと、静止画を一定の時間間隔でスライドショウのように再生することができ、早送り再生またはスロー再生を行うと、静止画のスライドショウの速度を調節することができ、再生を停止すると、静止画のスライドショウを停止させることができる。よって、デジタルカメラ等で記録した静止画データの汎用性を高めることが可能となる。
【００２９】
また、動画データと管理データとをアルバム作成用光ディスク３０に書き込んだ後に、続けて静止画記録用光ディスク２０から読み出した静止画データを光ディスク３０に書き込むことで、例えばパーソナルコンピュータのような静止画データを処理可能な装置において、画像サイズを変更していない高画質の静止画データを光ディスク３０から読み出して、モニタに表示したり加工したり等して利用することができるので、静止画データの汎用性を一層高めることが可能となる。
【００３０】
また、動画データと管理データと静止画データとが既に書き込まれた書き換え可能なアルバム作成用光ディスク３０に対して、新たな動画データと管理データとを書き込む前に、当該光ディスク３０から既に書き込まれた静止画データを読み出してハードディスク３に蓄積し、その後新たな動画データを既に書き込まれた動画データに続けて書き込むとともに、新たな管理データを書き込み、さらに続けてハードディスク３に蓄積した上記光ディスク３０の静止画データと、静止画記録用光ディスク２０から読み出した新たな静止画データとを書き込むことで、書き換え可能なアルバム作成用光ディスク３０に対して、既に書き込まれた動画データと管理データと静止画データとを消失することなく、新たな動画データと管理データと静止画データとを追記することができ、また、上記光ディスク３０のデータのＤＶＤビデオフォーマットを崩れることなく保持することができる。
【００３１】
また、変換した動画データを区分するチャプターを各静止画毎に設定し、当該チャプターに関する情報を管理データに含めてアルバム作成用ディスク３０に書き込むことで、ＤＶＤビデオフォーマットに対応した一般的な装置でアルバム作成用ディスク３０の動画データの再生を行う場合に、スキップ操作等により動画データの再生位置を静止画毎に移動させることができる。さらに、静止画記録用光ディスク２０から読み出した静止画データとアルバム作成用光ディスク３０から読み出した静止画データとをそれぞれハードディスク３に蓄積することで、１つのディスク読書部２によって静止画記録用光ディスク２０からの静止画データの読み出しと、アルバム作成用光ディスク３０からの静止画データの読み出しと、当該光ディスク３０への動画データ等の書き込みとを行うことができ、ＨＤＤ付きＤＶＤレコーダ１００の構成を簡単にすることが可能となる。
【００３２】
図５および図６は、本発明の他の実施形態を示す図である。図５は、本発明に係る映像記録再生装置の他の実施形態を構成するカードリーダ付きＤＶＤレコーダの電気的構成を示すブロック図である。なお、図中、図１に示したＨＤＤ付きＤＶＤレコーダ１００と同一の機能を有する部分には同一符号を付してある。図５において、破線で囲んだ部分がカードリーダ付きＤＶＤレコーダ１０１の本体部である。アルバム作成用光ディスク３０は、前述したようにＤＶＤ−Ｒ／ＲＷまたはＤＶＤ＋Ｒ／ＲＷ等から構成されていて、ＪＰＥＧ形式の静止画データやＭＰＥＧ形式の動画データ等が記録される。５０は静止画記録用メモリーカードであって、ＰＣカードやＳＤカード等から構成されている。このメモリーカード５０には、デジタルカメラで撮影したＪＰＥＧ形式の写真の静止画データが記録されている。（メモリーカード５０への静止画データの記録はデジタルカメラ等で行われる。）
１ａはカードリーダ付きＤＶＤレコーダ１０１の各部を制御する制御部であって、ＣＰＵ、ＲＡＭやＲＯＭのようなメモリ等から構成されている。２ａはディスク読書部であって、ピックアップやピックアップ駆動回路やディスク駆動回路等から構成されている。このディスク読書部２ａは、アルバム作成用光ディスク３０が装着されると、当該ディスク３０のデータを読み込んだり、当該ディスク３０に動画データや静止画データ等を書き込んだりする。４ａはＡＴＡＰＩインターフェースであって、制御部１ａとディスク読書部２ａを電気的に接続する。１８はカードリーダであって、メモリーカード５０と電気的に接続するための接点や接点駆動回路やメモリカードアダプタ等から構成されている。このカードリーダ１８は、静止画記録用メモリーカード５０が装着されると、当該メモリカード５０から静止画データを読み出す。上記以外の部分は、図１で説明したものと同様の機能を有しているので、ここでは説明を省略する。
【００３３】
上記の構成において、ディスク読書部２ａは、本発明における書込手段の一実施形態を構成する。カードリーダ１８は、本発明における読出手段、の一実施形態を構成する。ＭＰＥＧ復号部５は、本発明における再生手段の一実施形態を構成する。画像処理部６は、本発明における画像サイズ変更手段の一実施形態を構成する。ＭＰＥＧ符号化部７は、本発明におけるデータ変換作成手段の一実施形態を構成する。
【００３４】
図６は、上記のカードリーダ付きＤＶＤレコーダ１０１の動作手順を示すフローチャートである。各処理は上記制御部１ａが実行する。なお、図中、図３で説明した処理と同様の処理については同一符号を付してある。図６において、メモリカードがカードリーダ１８に装着されると(ステップＳ１ａ：ＹＥＳ)、制御部１ａは、カードリーダ１８によってメモリカードを読み込む(ステップＳ２ａ)。そして、メモリカードにＪＰＥＧ形式の静止画データが記録されていれば(ステップＳ３ａ：ＹＥＳ)、制御部１ａは、静止画記録用メモリカード５０が装着されたと判断し、アルバム作成用光ディスク３０がディスク読書部２ａに装着されるのを待つ(ステップＳ４ａ)。なお、ステップＳ３ａで、メモリカードにＪＰＥＧ形式の静止画データが記録されていなれば(ステップＳ３ａ：ＮＯ)、処理を終了する。
【００３５】
ステップＳ４ａで、アルバム作成用光ディスク３０がディスク読書部２ａに装着されると(ステップＳ４ａ：ＹＥＳ)、制御部１ａは、カードリーダ１８によってメモリカード５０から静止画データを読み出し(ステップＳ５ａ)、読み出した静止画データをＭＰＥＧ復号部５によって復号して、一定の時間間隔でスライドショウとして順次再生し(ステップＳ１３)、再生する静止画の画像サイズを画像処理部６によってＤＶＤビデオフォーマットに合致するサイズに順次変更する(ステップＳ１４)。そして、制御部１ａは、サイズ変更後の静止画をＭＰＥＧ符号化部７によって符号化・多重化して、ＤＶＤビデオフォーマットの一連の動画データに変換し(ステップＳ１５)、さらにＭＰＥＧ符号化部７によって各静止画毎にチャプターを設定して、ＤＶＤビデオフォーマットでマスタリングしながら、即ちチャプターに関する情報を含んだ管理データを作成しながら、ディスク読書部２ａによって動画データと管理データとをアルバム作成用光ディスク３０に書き込む(ステップＳ１６)。続けて、制御部１ａは、カードリーダ１８によってメモリーカード５０から静止画データを読み出して、ディスク読書部２ａによって光ディスク３０に書き込む(ステップＳ１７)。この後、制御部１ａは、光ディスク３０のファイナライズを行い(ステップＳ１８)、光ディスク３０をディスク読書部２から排出して(ステップＳ１９)、処理を終了する。なお、排出された光ディスク３０には、図２（ａ）に示したように管理データ、動画データ、および静止画データが書き込まれている。
【００３６】
上記のように、静止画記録用メモリーカード５０から読み出したＪＰＥＧ形式の写真の静止画データを、ＭＰＥＧ形式の一連の動画データに変換して、変換した動画データと当該動画データの管理データとをＤＶＤビデオフォーマットでアルバム作成用光ディスク３０に書き込むことで、アルバム作成用光ディスク３０を媒体にして写真の静止画データを動画データとしてアルバム化して他者に配布することができるとともに、アルバム作成用光ディスク３０に書き込んだ動画データをＤＶＤビデオフォーマットに対応した全てのＤＶＤプレーヤやＤＶＤレコーダ等の装置で再生することができるので、デジタルカメラ等で記録した静止画データの汎用性を高めることが可能となる。また、デジタルカメラで静止画データを記録したメモリカード５０からカードリーダ１８によって静止画データを読み出すことができるので、静止画データをＰｈｏｔｏ ＣＤやＣＤ−Ｒ等のような他の記録媒体に記録する手間が省ける。
【００３７】
以上述べた実施形態においては、動画データと管理データと静止画データとを書き込む光ディスクとして、ＤＶＤ−Ｒ／ＲＷ、ＤＶＤ＋Ｒ／ＲＷを用いた場合を例に挙げているが、本発明はこれらのみに限定するものではなく、これら以外に、例えばＤＶＤ−ＲＡＭやブルーレイディスクのような光ディスクを用いてもよい。但し、ＤＶＤ−Ｒ／ＲＷ、ＤＶＤ＋Ｒ／ＲＷは、広く一般に普及しているので、他の光ディスクに比べて汎用性が高い。
【００３８】
また、以上述べた実施形態では、静止画データが記録された記録媒体として、光ディスク２０またはメモリカード５０を例に挙げているが、本発明はこれらのみに限定するものではなく、これら以外に、例えばデジタルカメラに内蔵されているフラッシュメモリ等も静止画データが記録された記録媒体として扱うことができる。この場合、例えばデジタルカメラと映像記録再生装置とをＵＳＢ等のインタフェースに準拠したケーブルでつなぎ、デジタルカメラのフラッシュメモリにアクセス可能なドライバを映像記録再生装置に実装すればよい。また、例えばＣＤ−ＲＯＭも静止画データが記録された記録媒体として扱うことができる。この場合、ＣＤ−ＲＯＭから静止画データを読み出すための読出手段を映像記録再生装置に設ければよい。
【００３９】
さらに、以上述べた実施形態では、ＨＤＤ付きＤＶＤレコーダ１００と、カードリーダ付きＤＶＤレコーダ１０１とに、本発明を適用した場合を例に挙げているが、本発明はこれ以外にも、例えばＨＤＤとカードリーダとを両方備えたＤＶＤレコーダや、複数枚の光ディスクに対してデータの読み出しまたは書き込むを行うことが可能なディスクレコーダの映像記録再生装置に適用することが可能である。
【図面の簡単な説明】
【００４０】
【図１】ＨＤＤ付きＤＶＤレコーダの電気的構成を示すブロック図である。
【図２】アルバム作成用光ディスクのデータの構成を示す図である。
【図３】ＨＤＤ付きＤＶＤレコーダの動作手順を示すフローチャートである。
【図４】アルバム作成用ディスクのデータの変化を示す図である。
【図５】他の実施形態を示す図である。
【図６】他の実施形態を示す図である。
【符号の説明】
【００４１】
２      ディスク読書部
２ａ    ディスク読書部
３      ハードディスク
５      ＭＰＥＧ復号部
６      画像処理部
７      ＭＰＥＧ符号化部
１８    カードリーダ
２０    静止画記録用光ディスク
３０    アルバム作成用光ディスク
５０    静止画記録用メモリーカード
１００  ＨＤＤ付きＤＶＤレコーダ
１０１  カードリーダ付きＤＶＤレコーダ
【図１】
2005328176.tif 000003
【図２】
2005328176.tif 000004
【図３】
2005328176.tif 000005
【図４】
2005328176.tif 000006
【図５】
2005328176.tif 000007
【図６】
2005328176.tif 000008